(57)【要約】【課題】この発明は、小径な元竿杆と把持に適した元竿杆に対して径大なハンドルとを、構成簡易にして、堅牢、且つ、容易な着脱を実現し得るようにすることにある。【解決手段】元竿杆１０の後端部が内挿されて取付けられる竿杆固定部１２１に対して該竿杆固定部１２１より径大な雌螺子１２４の形成されるハンドル取付部１２３が、起立壁１２２を介して連続して設けられたハンドルジョイント部材１２を備え、このハンドルジョイント部材１２の竿杆固定部１２１を、元竿杆１０の後端部に対して外装した状態で、その外周部にリアグリップ１５を被着し、このハンドルジョイント部材１２のハンドル取付部１２３の雌螺子１２４に対してショートハンドル１３（あるいはロングハンドル１４）の雄螺子１３２（１４２）を選択的に装着するように構成したものである。【選択図】      図２
2005312399.tif 000002
【特許請求の範囲】
【請求項１】
元竿杆の後端部外径が５ｍｍ〜１０ｍｍの範囲であり、該後端部に着脱自在に設けられたハンドルを有し、該後端部には前記ハンドルとの接続部品であるハンドルジョイント部材が固定され、その外方に前記元竿杆より軟質なグリップを装着し、前記ハンドルは前記ハンドルジョイント部材に螺合若しくは圧入により装着されることを特徴とする魚釣用釣竿。
【請求項２】
長さの異なる複数の前記ハンドルを着脱自在に交換可能な形態を有することを特徴とする請求項１記載の魚釣用釣竿。
【請求項３】
前記ハンドルジョイント部材は、前記元竿杆への固定部と前記元竿杆よりも後方に突出している前記ハンドルが固定されるハンドル取付部との間に外径が急激に増大する起立壁を設けたことを特徴とする請求項１又は２記載の魚釣用釣竿。
【請求項４】
前記ハンドルジョイント部材は、前記ハンドル取付部の外径が前記元竿杆への固定部の外径の２倍以上の寸法を有することを特徴とする請求項１乃至３のいずれか記載の魚釣用釣竿。
【請求項５】
前記ハンドルジョイント部材は、前記起立壁が前記ハンドル取付部及び前記元竿杆への固定部より肉厚に形成されていることを特徴とする請求項１乃至４のいずれか記載の魚釣用釣竿。
【請求項６】
前記ハンドルジョイント部材は、前記元竿杆への固定部の固定長さが前記ハンドル取付部の前記ハンドルとの固定長さに比して大きく設定されることを特徴とする請求項１乃至５のいずれか記載の魚釣用釣竿。
【請求項７】
前記ハンドルは、前端部に螺子部が形成されるハンドル本体と、このハンドル本体の外周部に被着されるカバー部材で形成されることを特徴とする請求項１乃至６のいずれか記載の魚釣用釣竿。
【発明の詳細な説明】
【技術分野】
【０００１】
この発明は、例えば元竿杆後端部に長さの異なるハンドルが着脱可能な魚釣用釣竿に関する。
【背景技術】
【０００２】
一般に、魚釣の釣り形態としては、その対象とする魚の種類や、釣り場等に応じて各種の釣り態様があり、例えば船釣り等において、所謂ジギング操作と称する釣り方が知られている。この釣り形態に用いられる釣竿においては、釣り人の釣り姿勢や釣り方等に応じて元竿杆の後端に長さの異なるハンドルを交換式に着脱可能に構成される場合がある。
【０００３】
ところで、釣竿の元竿杆の後端にハンドルを取付ける手段としては、元竿杆の後端に螺子リング部材を取付けて、この螺子リング部材に長さの異なるハンドルを着脱することにより実現する構成が知られている（例えば、特許文献１参照。）。
【特許文献１】実開平６―２６４６２号公報
【発明の開示】
【発明が解決しようとする課題】
【０００４】
しかしながら、上記魚釣用釣竿では、釣り形態の一つであるジギング操作に最適な竿杆が、例えば外径が略５ｍｍ〜略１０ｍｍ程度の小径な元竿杆に適用すると、この小径な元竿杆に対して釣り人の把持に適した竿杆径に比して径大なハンドルを交換式に着脱可能に構成しなければならないため、実用時の曲げ荷重やハンドル交換時の回転トルク等により、その後端の螺子リング部材との接合部位に応力が集中して、破損したりする虞を有する。
【０００５】
この発明は上記の事情に鑑みてなされたもので、小径な元竿杆と把持に適した元竿杆に比して径大なハンドルとを、構成簡易にして、堅牢、且つ、容易な着脱を実現し得るようにした魚釣用釣竿を提供することを目的とする。
【課題を解決するための手段】
【０００６】
この発明は、元竿杆と、この元竿杆の後端部に取付けられる竿杆固定部に対して該竿杆固定部より径大な雌螺子の形成されるハンドル取付部が、起立壁を介して連続して設けられたハンドルジョイント部材と、このハンドルジョイント部材の外周部を含む前記元竿杆の後端部に被着されるリアグリップと、前記ハンドルジョイント部材のハンドル取付部の雌螺子に螺合される雄螺子が設けられた前記リアグリップの後端に着脱自在に連設されるハンドルとを備えて魚釣用釣竿を構成した。
【０００７】
上記構成によれば、元竿杆は、その後端に対してハンドルジョイント部材の竿杆固定部が外装された状態で、リアグリップが被着され、このハンドルジョイント部材のハンドル取付部の雌螺子に対してハンドルの雄螺子が螺着されることにより、リアグリップに連設してハンドルが取付けられる。
【０００８】
これにより、ハンドルを介して応力が付与されると、その応力は、ハンドルからハンドルジョイント部材のハンドル取付部を経由して竿杆固定部に伝達されて元竿杆の後端部に分散されて付与される。従って、小径な元竿杆と、把持に適した径大なハンドルの堅牢にして容易な着脱操作を実現することが可能となる。
【発明の効果】
【０００９】
この発明によれば、小径な元竿杆と把持に適した元竿杆に比して径大なハンドルとを、構成簡易にして、堅牢、且つ、容易な着脱を実現し得るようにした魚釣用釣竿を提供することができる。
【発明を実施するための最良の形態】
【００１０】
以下、この発明の実施の形態について、図面を参照して詳細に説明する。
【００１１】
図１は、この発明の一実施の形態に係る魚釣用釣竿の外観構成を示すもので、元竿杆１０は、例えば継ぎ目なしの釣竿構造を有し、例えば炭素繊維等の強化繊維にエポキシ樹脂等の合成樹脂を含浸した繊維強化プリプレグ（以下の説明では、単にプリプレグと称する）を周方向、軸方向あるいは軸線に対して適宜角度に傾斜した偏向方向に引き揃えて巻回し、これらの複数の本体層を積層した中空竿杆で、例えば外径寸法が５ｍｍ〜１０ｍｍに形成される。なお、この釣竿構造としては、上記の他、並継ぎ式あるいは印籠継ぎ式等の他の適宜の継合形式を採用することが可能であり、中空状あるいは中実状が適用可能である。
【００１２】
元竿杆１０には、その後端側にリール取付部１１が設けられ、その後端にハンドルジョイント部材１２が取付けられる（図２参照）。このハンドルジョイント部材１２は、図３に示すように黄銅、真鍮、アルミニウム、ＳＵＳ等の金属材料で外形が略階段形状を有した筒状に形成され、その小径側の一端部に竿杆固定部１２１が上記元竿杆１０の外径形状に対応して設けられる。そして、この竿杆固定部１２１には、鍔状に形成される起立壁１２２を介してハンドル取付部１２３が同軸的に設けられる。このハンドル取付部１２３の内部には、ハンドル取付用の雌螺子１２４が形成される。
【００１３】
ここで、ハンドルジョイント部材１２は、例えば元竿杆１０の後端の外径寸法が略８ｍｍとすると、その竿杆固定部１２１の内径が元竿杆１０の外径寸法に対応され、そのハンドル取付部１２３の内径が約２３ｍｍと約３倍の径差を有して形成される。そして、このハンドルジョイント部材１２は、その起立壁１２２の肉厚寸法Ａが、竿杆固定部１２１及びハンドル取付部１２３の肉厚寸法Ｂに対して肉厚（Ａ＞Ｂ）に形成される。また、ハンドルジョイント部材１２は、竿杆固定部１２１の竿杆嵌合長Ｌ１がハンドル取付部１２３のハンドル螺合長Ｌ２よりも長く設定される。これにより、ハンドルジョイント部材１２は、そのハンドル取付部１２３に対して後述するようにショートハンドル１３あるいはロングハンドル１４（図７参照）が着脱される際に元竿杆１０からの離脱の防止が図れている。
【００１４】
さらに、起立壁１２２は、その外壁側が竿杆固定部１２１からハンドル取付部方向に若干肉薄となるように傾斜されて形成され、その竿杆固定部１２１の撓みに対する追従特性を高めるように形成される。
【００１５】
上記ハンドルジョイント部材１２は、その竿杆固定部１２１内に上記元竿杆１０の後端が挿入され、接着剤を用いて接着されて元竿杆１０の後端に外装される。そして、元竿杆１０の上記リール取付部１１の後端側とハンドルジョイント部材１２の外周部を含む領域には、例えばＥＶＡ、コルク、エストラマー、ゴム等の柔軟性材料で形成されるリアグリップ１５が、接着等の手法で外装される。リアグリップ１５の外径は、２５ｍｍ〜３５ｍｍの範囲で形成される。
【００１６】
また、上記ハンドルジョイント部材１２のハンドル取付部１２３には、例えば選択的に長さ寸法Ｌ３を有するショートハンドル１３（図４参照）及び長さ寸法Ｌ４を有するロングハンドル１４（図７参照）が交換式に着脱自在に装着される。これらショートハンドル１３及びロングハンドル１４は、その長さ寸法Ｌ３及びＬ４が、例えば５０ｍｍ程度の寸法差を有して設定され、外径は２５ｍｍ〜３５ｍｍの範囲で形成され、その釣り形態に応じて選択的に上記ハンドルジョイント部材１２のハンドル取付部１２３に着脱される。
【００１７】
このうちショートハンドル１３は、ハンドル本体１３１が、ＡＢＳ、ナイロン、ＰＯＭ等の樹脂材料や繊維強化プラスチック（ＦＲＰ）等で略筒状に形成され、このハンドル本体１３１の先端部には、雄螺子１３２がハンドル取付部１２３の雌螺子１２４に対応して設けられる（図４及び図５参照）。
【００１８】
また、ハンドル本体１３１には、雄螺子１３２の基端部に収容溝１３３がリング状に設けられると共に、この収容溝１３３に並設して突部１３４がリング状に設けられる。このうち収容溝１３３には、Ｏリング等の弾性部材１６が収容される。他方の突部１３４には、例えばアルマイト処理を施したアルミニウムやチタン、ＳＵＳ、真鍮等の金属材料製のリング状をした装飾部材１７が取付けられる。この装飾部材１７は、その軸方向の長さ寸法Ｌが上記突部の軸方向の幅寸法Ｌと同寸法に形成されてマイナス公差を有している（図５及び図６参照）、その一端部に位置規制部１７１が内側に折曲されて形成される。そして、この装飾部材１７は、その位置規制部１７１をハンドル本体１３１の突部１３４の側壁に対向させた状態で、該突部１３４上に載置されて、例えば接着剤を用いて装着される。
【００１９】
さらに、上記ハンドル本体１３１には、その周囲部のうち突部１３４から後端側に至る領域には、例えばＥＶＡ、コルク、エストラマー、ゴム等の柔軟性材料で形成されるカバー部材１３５が外装されて例えば接着剤を用いて装着される。
【００２０】
ここで、カバー部材１３５は、その先端部が装飾部材１７の位置規制部１７１に当接され（図４参照）、上記ハンドル本体１３１の突部１３４と協働して装飾部材１７の竿軸前後方向の移動を規制する。この際、装飾部材１７は、その寸法及び寸法公差により、その他端側（弾性部材側）が突部１３４から突出されることがない。これにより、ショートハンドル１３は、そのハンドル本体１３１の雄螺子１３２がハンドルジョイント部材１２のハンドル取付部１２３の雌螺子１２４に螺合されて締め付けられて装着されると、その収容溝１３３の弾性部材１６がハンドル本体１３１によりリアグリップ１５の端部に押圧されて相互間のシールを行った状態となる。
【００２１】
ここで、弾性部材１６は、装飾部材１７の端部が突部１３４より突出していないことで当接して傷付けられることがない（図２参照）。同時に、弾性部材１６は、その弾性反力をハンドルジョイント部材１２とハンドル本体１３１に付与して相互間の固着を防止すると共に、相互間の螺合を緩みを防止する。この結果、ショートハンドル１３は、その雄螺子１３２をハンドルジョイント部材１２のハンドル取付部１２３から離脱するように、その雌螺子１２４との螺合が緩められると、上記弾性部材１６による弾性反力により、比較的容易にハンドル取付部１２３からの離脱が実現される。
【００２２】
他方のロングハンドル１４は、図７及び図８に示すように上記ショートハンドル１３より長い寸法を有する略筒状のハンドル本体１４１の先端部に略同様に雄螺子１４２が上記ハンドルジョイント部材１２のハンドル取付部１２３の雌螺子１２４に対応して設けられると共に、この雄螺子１４２に並設して同様に収容溝１４３、突部１４４が順に設けられる。このうち収容溝１４３には、上記弾性部材１６が装着され、他方の突部１４４には、上記装飾部材１７が接着等の手法により装着される。そして、ハンドル本体１４１には、その周囲部のうち突部１４４から後端側に至る領域には、同様に柔軟性材料で形成されるカバー部材１４５が外装されて接着剤を用いて装着される。
【００２３】
ここで、カバー部材１４５は、その先端部が装飾部材１７の位置規制部１７１に当接され、上記ハンドル本体１４１の突部１４４と協働して装飾部材１７の竿軸前後方向の移動を規制する。この際、装飾部材１７は、その寸法及び寸法公差により、その他端側（シールド部材側）が突部１４４から突出されることがない。これにより、ロングハンドル１４は、そのハンドル本体１４１の雄螺子１４２が、同様にハンドルジョイント部材１２のハンドル取付部１２３の雌螺子１２４に螺合されて締め付けて図９に示すように装着されると、その収容溝１４３の弾性部材１６がハンドル本体１４１によりリアグリップ１５の端部に押圧されて押し潰されてリアグリップ１５との間のシールを行った状態となる。
【００２４】
ここで、弾性部材１６は、装飾部材１７の端部がハンドル本体１４１の突部１４４より突出していないことで、該装飾部材１７に当接して傷付けられることがない。同時に、弾性部材１６は、その弾性反力を同様にハンドル本体１４１に付与して相互間の固着及び緩みを防止する。この結果、ロングハンドル１４においても、同様に、ハンドル本体１４１の雄螺子１４２をハンドルジョイント部材１２のハンドル取付部１２３から離脱するように、その雌螺子１２４との螺合が緩められると、弾性部材１６の弾性反力により、比較的容易にハンドル取付部１２３からの離脱が実現される。
【００２５】
上記構成により、元竿杆１０の後端には、ハンドルジョイント部材１２の竿杆固定部１２１が嵌着され、そのハンドル取付部１２３の雌螺子１２４に対して上記ショートハンドル１３あるいはロングハンドル１４の雄螺子１３２，１４２が選択的に螺合されて装着される。
【００２６】
ここで、ショートハンドル１３あるいはロングハンドル１４の装着動作は、略同様であることで、説明の都合上、ショートハンドル１３を着脱する場合を代表して説明する。即ち、元竿杆１０は、ハンドルジョイント部材１２のハンドル取付部１２３に対してショートハンドル１３の雄螺子１３２が螺合されて締め付けられると、その応力がハンドルジョイント部材１２のハンドル取付部１２３から起立壁１２２、竿杆固定部１２１を介して分散されて伝達される。これにより、ショートハンドル１３の着脱に伴う応力が、元竿杆１０の後端とハンドルジョイント部材１２の竿杆固定部１２１との間に直接的に付与されることが無いことで、ジョイント部位の破損が防止される。
【００２７】
同時に、ハンドルジョイント部材１２は、その竿杆固定部１２１の嵌合長Ｌ１がハンドル取付部１２３の螺合長Ｌ２より、長く設定されていることで、元竿杆１０に対する取付強度を強固にすることができ、この点からも該元竿杆１０からの離脱が防止される。
【００２８】
このように、上記魚釣用釣竿は、元竿杆１０の後端部が内挿されて取付けられる竿杆固定部１２１に対して該竿杆固定部１２１より径大な雌螺子１２４の形成されるハンドル取付部１２３が、起立壁１２２を介して連続して設けられたハンドルジョイント部材１２を備え、このハンドルジョイント部材１２の竿杆固定部１２１を、元竿杆１０の後端部に対して外装した状態で、その外周部にリアグリップ１５を被着し、このハンドルジョイント部材１２のハンドル取付部１２３の雌螺子１２４に対してショートハンドル１３（あるいはロングハンドル１４）の雄螺子１３２（１４２）を選択的に装着するように構成した。
【００２９】
これによれば、ショートハンドル１３（あるいはロングハンドル１４）を介して応力が付与されると、その応力は、そのハンドル本体１３１（１４１）からハンドルジョイント部材１２のハンドル取付部１２３から起立壁１２２を経由して竿杆固定部１２１に伝達されて元竿杆１０の後端部に分散されて付与される。竿杆固定部１２１にかかる応力集中に対して内外から元竿杆１０及びリアグリップ１５によって接着等により、しっかりと固定されているため、破損しにくい。この結果、小径な元竿杆１０と、釣り人の把持に適した径大なショートハンドル１３（あるいはロングハンドル１４）の堅牢にして容易な着脱操作を実現することができる。
【００３０】
なお、上記実施の形態では、ショートハンドル１３及びロングハンドル１４の各ハンドル本体１３１，１４１を略筒状に形成した場合で説明したが、これに限ることなく、例えば中実構造や断面異形構造に形成するようにしてもよい。
【００３１】
また、上記実施の形態では、ショートハンドル１３及びロングハンドル１４の二つのハンドルを交換式に装着するように構成した場合で説明したが、この数に限ることなく、構成可能である。
【００３２】
よって、この発明は、上記実施の形態に限ることなく、その他、実施段階ではその要旨を逸脱しない範囲で種々の変形を実施し得ることが可能である。さらに、上記実施の形態には、種々の段階の発明が含まれており、開示される複数の構成要件における適宜な組合せにより種々の発明が抽出され得る。
【００３３】
例えば実施形態に示される全構成要件から幾つかの構成要件が削除されても、発明が解決しようとする課題の欄で述べた課題が解決でき、発明の効果で述べられている効果が得られる場合には、この構成要件が削除された構成が発明として抽出され得る。
【図面の簡単な説明】
【００３４】
【図１】この発明の一実施の形態に係る魚釣用釣竿の要部を取り出して示した一部断面図である。
【図２】図１の要部を拡大して示した一部断面図である。
【図３】図１のハンドルジョイント部材を取り出して示した一部断面図である。
【図４】図１のショートハンドルを取り出して示した一部断面図である。
【図５】図４のハンドル本体を取り出して示した一部断面図である。
【図６】図１の装飾部材を取り出して示した構成図である。
【図７】図１のショートハンドルに代えて装着されるロングハンドルを取り出して示した一部断面図である。
【図８】図７のハンドル本体を取り出して示した一部断面図である。
【図９】図７のロングハンドルをハンドルジョイント部材に装着した状態を示した一部断面図である。
【符号の説明】
【００３５】
１０…元竿杆、１１…リール取付部、１２…ハンドルジョイント部材、１２１…竿杆固定部、１２２…起立壁、１２３…ハンドル取付部、１２４…雌螺子、１３…ショートハンドル、１３１…ハンドル本体、１３２…雄螺子、１３３…収容溝、１３４…突部、１３５…カバー部材、１４…ロングハンドル、１４１…ハンドル本体、１４２…雄螺子、１４３…収容溝、１４４…突部、１４５…カバー部材、１５…リアグリップ、１６…弾性部材、１７…装飾部材、１７１…位置規制部。
【図１】
2005312399.tif 000003
【図２】
2005312399.tif 000004
【図３】
2005312399.tif 000005
【図４】
2005312399.tif 000006
【図５】
2005312399.tif 000007
【図６】
2005312399.tif 000008
【図７】
2005312399.tif 000009
【図８】
2005312399.tif 000010
【図９】
2005312399.tif 000011